(57)【要約】【課題】施工性及び経済性に優れた砂防堰堤及びその施工方法を提供する。【解決手段】コンクリート堤体２、２間の基礎コンクリート５上へ仮固定して建てた柱材８の上端部のフランジ８ｂと、河川の横断方向に配置した梁材７ａから下向きに突設された柱頭部８ａのフランジ８ｂとが接合され、コンクリート堤体２に予め埋め込まれた梁端部材７ｂのフランジ７ｆと、梁材７ａの端部のフランジ７ｆとを接合して梁７を完成し鋼製スリットダム６が構成されている。基礎コンクリート５上へ増し打ちしたコンクリート５’により柱材８の下部を埋めて本固定されている。【選択図】図１
2011089393.tif 000002
【特許請求の範囲】
【請求項１】
河川の横断方向両岸のコンクリート堤体間に鋼製スリットダムが設置された砂防堰堤であって、
コンクリート堤体間の基礎コンクリート上に下端部を固仮定して建てた柱材の上端部のフランジと、河川の横断方向に配置した梁材から下向きに突設された柱頭部のフランジとが接合されており、
コンクリート堤体の河川中央を向く面の梁設置位置に予め埋め込まれた梁端部材のフランジと、前記梁材の端部のフランジとを接合して梁を完成し鋼製スリットダムが構成されており、
更に基礎コンクリート上へ打設した増し打ちコンクリートにより柱材の下部を埋めて本固定されていることを特徴とする、砂防堰堤。
【請求項２】
鋼製スリットダムを平面的に見て、梁の下流側に、水平方向の繋ぎ材を介して下流側梁が接合されており、同下流側梁の両端部は、コンクリート堤体の河川中央を向く面へ予め埋め込まれた梁端部材とフランジで接合されていることを特徴とする、請求項１に記載した砂防堰堤。
【請求項３】
鋼製スリットダムを構成する梁材及び下流側梁材は高さ方向に複数本設けられており、同梁材及び下流側梁材の両端部は、コンクリート堤体の河川中央を向く面に予め埋め込まれた梁端部材とフランジで接合されていることを特徴とする、請求項１又は２に記載した砂防堰堤。
【請求項４】
コンクリート堤体に埋め込まれた梁端部材は、固定金具により位置決めしてコンクリート中に埋め込まれていることを特徴とする、請求項１〜３のいずれか一に記載した砂防堰堤。
【請求項５】
梁端部材は、外周にゴムシートを巻いてコンクリート堤体中に埋め込まれ、この梁端部材と梁部材とをフランジ接合して梁が設置されていることを特徴とする、請求項１〜４のいずれか一に記載した砂防堰堤。
【請求項６】
鋼製スリットダムを構成する柱材は、河川の横断方向両岸のコンクリート堤体間に複数本建てられていることを特徴とする、請求項１に記載した砂防堰堤。
【請求項７】
柱材は、コンクリート堤体間の基礎コンクリート上へ、その下端部をアンカーにより仮固定して、又は鞘管を用いて建てられ、更に基礎コンクリート上へ打設した増し打ちコンクリートにより下部を埋めて固定することを特徴とする、請求項１又は６に記載した砂防堰堤。                                              
【請求項８】
河川の横断方向両岸のコンクリート堤体間に鋼製スリットダムを設置する砂防堰堤の施工方法であって、
河川中央を向く面の梁設置位置へ梁端部材を埋め込んだコンクリート堤体を構築する段階と、
前記コンクリート堤体間の基礎コンクリート上に柱材を建てる段階と、
下向きに柱頭部が突設された梁材を前記コンクリート堤体間の河川横断方向へ配置し、同コンクリート堤体の河川中央を向く面に埋め込まれた梁端部材と前記梁材の端部とをフランジで接合して梁を完成し、更に梁材の前記下向きに突設された柱頭部と前記コンクリート堤体間の基礎コンクリート上に建てた柱材の上端部とをフランジで接合し、同柱材の下端部は基礎コンクリート上へ打設したコンクリートにより埋めて本固定する段階とからなることを特徴とする、砂防堰堤の施工方法。
【請求項９】
柱材は、その下端部をアンカーによりコンクリート堤体間の基礎コンクリート上に仮固定して、又は鞘管を用いて基礎コンクリート上に建て、その後基礎コンクリート上へ打設した増し打ちコンクリートにより下部を埋めて本固定することを特徴とする、請求項８に記載した砂防堰堤の施工方法。
【発明の詳細な説明】
【技術分野】
【０００１】
この発明は、コンクリート堤体間へ鋼製スリットダムを設置した砂防堰堤、及びその施工方法の技術分野に属し、更に云えば、施工性及び経済性に優れた砂防堰堤及びその施工方法に関する。
【背景技術】
【０００２】
我が国は、急峻な地形を有し脆弱な地質で構成されているため、梅雨や台風における豪雨等による巨礫や流木等の土砂災害によって多大な被害を被ることが知られている。そのため、土砂災害において出水に含まれる比較的小さい石や土砂は透過させて下流に流し、巨礫は押し止めて下流に流れることを防ぎ、二次災害を未然に防ぐ砂防堰堤の技術が種々開発されている。その一例として、下記特許文献１及び２には、コンクリート堤体間へ、複数の柱材及び該柱材を連結する梁材とで構成された立体構造の砂防堰堤を設置する技術が開示されている。しかし、この砂防堰堤は立体構造であるが故に、現場での組立作業に手間が掛かること、巨礫や流木等の捕捉で損傷した部材の修復や堆積土砂・礫の除去作業が難いこと、複雑な構成で部品点数が非常に多く製造コストが嵩むこと、等々多くの問題点がある。そこで、前記問題を解決する砂防堰堤として、例えば下記特許文献３には、下端部を基礎コンクリートに埋設して建て込まれた柱材の頭部に、河川横断方向に配置しコンクリート堤体へ直接埋め込み固定した梁材を接合して平面構造とした構成であると記載されている。この砂防堰堤は、土石流や流木等の衝撃力を直接梁材及び柱材で受け止めると共に、その衝撃力をコンクリート堤体と基礎コンクリートへ伝達する構成であり、面外荷重に対して安全性の高い構造である。
【０００３】
下記特許文献４に開示された砂防堰堤は、下端部を基礎コンクリートに埋設して建て込まれた柱材の頭部に、予めコンクリート堤体へ埋め込まれたアンカーへ溶接又はボルト接合等の接合手段で固定した梁材が接合された平面構造である。
【０００４】
また、下記特許文献５に開示された砂防堰堤は、コンクリート堤体に梁材の両端部を支持する収納部が形成されており、該収納部へ両端部が支持された梁材が、同梁材を貫通する鋼製の棒材で固定されている。前記梁材と柱材とが一体的に連結されている。柱材の下端部は、基礎コンクリートに埋め込まれて固定されている。
【先行技術文献】
【特許文献】
【０００５】
【特許文献１】特許第２６０７３３６号公報
【特許文献２】特公平５−２０５０号公報
【特許文献３】特開２００２−１２１７２８号公報
【特許文献４】特公昭５９−４０９６６号公報
【特許文献５】特開２００１−３０３５３８号公報
【発明の開示】
【発明が解決しようとする課題】
【０００６】
上記特許文献３に開示された砂防堰堤は、梁材の両端部を直接コンクリート堤体へ埋め込み固定する構成なので、温度変化よってコンクリートや梁材、柱材が伸縮すると、熱応力によるコンクリートのひび割れが問題となる。また、土石流、流木を捕捉した後には、それらを除去するため、鋼製スリットダムも合わせて除去する場合もあるが、梁材や柱材を直接本体部に埋め込んでいると除去に手間がかかる。さらに、砂防堰堤の施工方法の具体的な記述はないが、一般的な施工方法では、先ず、梁材と柱材を組合せて連結した鋼製スリットダムを形成し、その後、前記鋼製スリットダムへ堤体本体部コンクリートを打設する手順が行われる。しかし、この施工方法では、コンクリート堤体を打設する際に、鋼製スリットダムが倒れないように安全性を確保する手段が必要となり、施工性及び経済性に問題がある。
【０００７】
上記特許文献４に開示された砂防堰堤も、梁材は、その両端部をコンクリート堤体へ埋め込んだアンカーを介して固定する構成なので、やはり、温度変化によってコンクリートや梁材、柱材が伸縮すると、熱応力によりコンクリートがひび割れる。その上、予め堤体本体部コンクリートへ埋め込んだアンカーを介して梁材の両端部を固定するには、施工誤差が問題となる。
【０００８】
上記特許文献５に開示された砂防堰堤は、コンクリート堤体に固定される梁材が棒材によってのみ固定された構成であるから、巨礫や流木等による強い衝撃に弱く十分な捕捉が得られない問題がある。また、コンクリート堤体へ、梁材の両端部を支持する収納部を設ける必要があるなど、施工性及び経済性にも問題がある。
【０００９】
本発明の目的は、温度変化によるコンクリートや梁材、柱材の伸縮歪や熱応力を吸収可能なスライド可能構造を採用し、コンクリートのひび割れを抑止する砂防堰堤及びその施工方法を提供することである。
【００１０】
本発明の次の目的は、梁材をコンクリート堤体へ設置するに際し、その施工誤差を吸収可能な構成であり、しかも、梁材及び柱材を着脱可能として、土石流や流木を捕捉した後にはそれらを除去するために鋼製フレームを取り外して工事できるように構成して、工事を簡単にでき、鋼製フレームも簡単に交換でき、鋼製砂防ダムを容易に復旧できる砂防堰堤及びその施工方法を提供することである。
【００１１】
本発明の更なる目的は、コンクリートを打設してコンクリート堤体を構築する作業と、梁材と柱材とより成る鋼製スリットダムを組立る作業とを分離可能とし、施工性及び経済性に優れた砂防堰堤及びその施工方法を提供することである。
【課題を解決するための手段】
【００１２】
上述した従来技術の課題を解決するための手段として、請求項１に記載した発明に係る砂防堰堤は、
河川の横断方向両岸のコンクリート堤体２、２間に鋼製スリットダム６が設置された砂防堰堤１であって、
コンクリート堤体２、２間の基礎コンクリート５上へ仮固定して建てた柱材８の上端部のフランジ８ｂと、河川の横断方向に配置した梁材７ａから下向きに突設された柱頭部８ａのフランジ８ｂとが接合されており、
コンクリート堤体２の河川中央を向く面の梁設置位置に予め埋め込まれた梁端部材７ｂのフランジ７ｆと、前記梁材７ａの端部のフランジ７ｆとを接合して梁７を完成した鋼製スリットダム６が構成されており、
更に基礎コンクリート５上へ増し打ちしたコンクリート５’により柱材８の下部を埋めて本固定されていることを特徴とする。
【００１３】
請求項２に記載した発明は、請求項１に記載した砂防堰堤において、
鋼製スリットダム６を平面的に見て、梁７の下流側に、水平方向の繋ぎ材１１を介して下流側梁９が接合されており、同下流側梁９の両端部は、コンクリート堤体２、２の河川中央を向く面へ予め埋め込まれた梁端部材７ｂとフランジ９ｂで接合されていることを特徴とする。
【００１４】
請求項３に記載した発明は、請求項１又は２に記載した砂防堰堤において、
鋼製スリットダム６を構成する梁材７ａ及び下流側梁９は高さ方向に複数本設けられており、同梁材７ａ及び下流側梁９の両端部は、コンクリート堤体２、２の河川中央を向く面に予め埋め込まれた梁端部材７ｂとフランジで接合されていることを特徴とする。
【００１５】
請求項４に記載した発明は、請求項１〜３のいずれか一に記載した砂防堰堤において、
コンクリート堤体２に埋め込まれた梁端部材７ｂは、固定金具１６により位置決めしてコンクリート中に埋め込まれていることを特徴とする。         
【００１６】
請求項５に記載した発明は、請求項１〜４のいずれか一に記載した砂防堰堤において、
梁端部材７ｂは、外周にゴムシートを巻いてコンクリート堤体２中に埋め込まれ、この梁端部材７ｂと梁材７ａとをフランジ接合して梁７が設置されていることを特徴とする。
【００１７】
請求項６に記載した発明は、請求項１に記載した砂防堰堤において、
鋼製スリットダム６を構成する柱材８は、河川の横断方向両岸のコンクリート堤体２、２間に複数本建てられていることを特徴とする。
【００１８】
請求項７記載した発明は、請求項１又は６記載した砂防堰堤において、
柱材８は、コンクリート堤体２、２間の基礎コンクリート５上へ、その下端部をアンカー１４により仮固定して、又は鞘管１５を用いて建てられ、更に基礎コンクリート５上へ増し打ちしたコンクリート５’により下部を埋めて固定されていることを特徴とする。
【００１９】
請求項８に記載した発明に係る砂防堰堤の施工方法は、
河川の横断方向両岸のコンクリート堤体２，２の間に鋼製スリットダム６を設置する砂防堰堤の施工方法であって、
河川中央を向く面の梁設置位置へ梁端部材７ｂを埋め込んだコンクリート堤体２を構築する段階と、
前記コンクリート堤体２、２間の基礎コンクリート５上に柱材８の下端部を仮固定して建てる段階と、
下向きに柱頭部８ａが突設された梁材７ａを前記コンクリート堤体２、２間の横断方向に配置し、同コンクリート堤体２、２の河川中央を向く面に埋め込まれた梁端部材７ｂと前記梁材７ａの端部とをフランジ７ｆで接合して梁７を完成し、更に梁材７ａの前記下向きに突設された柱頭部８ａと前記コンクリート堤体２、２間の基礎コンクリート５上に建てた柱材８の上端部とをフランジ８ｂで接合し、同柱材８の下端部は基礎コンクリート５上に打設したコンクリート５’により埋めて本固定する段階とからなることを特徴とする。
【００２０】
請求項９に記載した発明は、請求項８に記載した砂防堰堤の施工方法において、
柱材８は、その下端部をアンカー１４によりコンクリート堤体２、２間の基礎コンクリート５上に仮固定して、又は鞘管１５を用いて基礎コンクリート５上に建て、その後基礎コンクリート５上へ打設した増し打ちコンクリート５’により下部を埋めて本固定することを特徴とする。
【発明の効果】
【００２１】
本発明の砂防堰堤及びその施工方法によれば、梁７はコンクリート堤体２へ予め埋め込まれた梁端部材７ｂへ梁材７ａをフランジ７ｆを介して接合し設置されるほか、梁端部材７ｂは外周にゴムシートを巻いてコンクリート堤体２中に埋め込まれる（請求項５）ので、コンクリートや梁７、柱材８の伸縮歪みを吸収可能な構造を形成することができ、熱応力を解消してコンクリートのひび割れを抑止することができる。
【００２２】
また、本発明の砂防堰堤及びその施工方法は、梁７を梁材７ａと梁端部材７ｂとに分割して構成し、両者をフランジ７ｆを介して接合して梁７を組立て完成して設置するので、梁７の施工誤差を吸収することができる上に、梁７及び柱８は着脱可能なので、土石流や流木を捕捉した後に、それらを除去するために前記の接合部を分離して鋼製スリットダム６を取り外して（解体して）改修工事ができる。そのため改修工事が簡単、容易にできるばかりでなく、鋼製スリットダム６は簡単に復旧させることができる。
【００２３】
更に、本発明の砂防堰堤及びその施工方法は、コンクリートを打設してコンクリート堤体２、２を構築する作業と、梁７と柱材８とより成る鋼製スリットダム６を組立てる作業とを分離して実施できるので、コンクリート堤体２、２間へ鋼製スリットダム６を設置する施工の大幅な短工期化を図ることができ、施工性及び経済性に優れている。
【発明を実施するための最良の形態】
【００２４】
河川の横断方向両岸のコンクリート堤体２、２間に鋼製スリットダム６が設置された砂防堰堤及びその施工方法として、コンクリート堤体２、２間の基礎コンクリート５上に下端部を仮固定等して建てた柱材８の上端部と、河川の横断方向に配置した梁材７ａから下向きに突設させた柱頭部８ａとをフランジ８ｂで接合する。また、コンクリート堤体２の河川中央を向く面に予め梁端部材７ｂを埋め込み、同梁材７ａの端部を前記梁端部材７ｂとフランジ８ｂで接合して梁７を完成し鋼製スリットダム６を構築する。
【００２５】
砂防堰堤１の施工方法は、先ず、河川中央を向く面に予め梁端部材７ｂを埋め込んだコンクリート堤体２、２を構築する。次に、前記コンクリート堤体２、２間の基礎コンクリート５上に柱材８をその下端部を仮固定等して建てる。そして、柱頭部８ａを下向きに突設させた梁材７ａを河川横断方向に配置して、その両端部を梁端部材７ｂとフランジ７ｆで接合して梁７を完成する。更に梁材７ａの前記下向きに突設させた柱頭部８ａを前記柱材８の頭部とフランジ８ｂで接合する。最後に、コンクリート堤体２、２間の基礎コンクリート５上に建てた柱材８の下端部を、打設した増し打ちコンクリート５’により埋めて固定する。
【実施例１】
【００２６】
以下に、本発明に係る砂防堰堤及びその施工方法を図１〜図１０に基づいて説明する。
図１は、梅雨や台風における豪雨等による土石流や流木等の土砂災害が懸念される山間地の河川の横断方向の両岸に構築したコンクリート堤体２、２間のいわゆる水通し部へ鋼製スリットダム６が設置された砂防堰堤１の実施例１を示している。
【００２７】
この砂防堰堤１の鋼製スリットダム６は、コンクリート堤体２、２間の底部（水通し部の底面部）へ打設した基礎コンクリート５上（図２参照）に増し打ちコンクリート５’を打設して（図５参照）下端部を埋設して建てた柱材８の頭部が、河川横断方向に配置した梁７とフランジ８ｂで接合されている。コンクリート堤体２には、河川中央を向く面（水通し部の開口面）に梁端部材７ｂが埋め込まれており、前記梁７を構成する梁材７ａは、その両端部を前記梁端部材７ｂとフランジ７ｆで接合されている。
この鋼製スリットダム６の梁材７ａと柱材８は主に鋼管で製作され、共に外径が５００ｍｍ程度の大きさである。また、本実施例の梁７と柱材８とで構成された鋼製スリットダム６の大きさは、高さが４ｍ〜５ｍ程度、横幅が４ｍ〜５ｍ程度である。
【００２８】
この砂防堰堤１の施工方法は、先ず図２に示すように、梁端部材７ｂを設置する高さＴまで、堤体本体部コンクリート２の下部コンクリート３を打設する。堤体本体部コンクリート２は、上記柱材８の固定用に後打ちするコンクリート５’の天端高さ（図３のＸの線参照）を考慮した高さに設計、施工する。
そして、前記堤体本体部コンクリート２の下部コンクリート３の上面部３ａに、梁材７ａの両端を接合するフランジ７ｆを備えた梁端部材７ｂを設置し、その上に更に袖部コンクリート４を打設して、図３に示すように梁端部材７ｂをコンクリート堤体２中に埋め込んだ堤体本体部コンクリート２を完成している。因みに、前記コンクリート堤体２の高さは最大１４．５ｍとする。
【００２９】
なお、上記のようにコンクリート堤体２へ梁端部材７ｂを埋め込むに際し、その位置を調整するため、図６（ａ）〜（ｄ）に示す固定金具１６を用い、梁端部材７ｂを位置決めした状態でコンクリートに埋め込む。図６（ａ）〜（ｄ）は、前記固定金具１６で梁端部材７ｂを位置決めする手段、手法の一例を示している。
【００３０】
図６（ａ）と（ａ’）は、堤体本体部コンクリート２を構成する下部コンクリート３の上端面３ａ（図２参照）へ、調整げた材１６ａを設けたフランジ７ｆ付き梁端部材７ｂを設置して位置決めし埋設した実施形態を示している。
図６（ｂ）と（ｂ’）は、フランジ付き梁端部材７ｂの両側面に補強筋１６ｂ（図示例では６本）を設けて上端面３ａへ位置決めし埋設した実施形態を示している。
図６（ｃ）と（ｃ’）は、フランジ付き梁端部材７ｂの両側面に留め金具１６ｃを設けて上端面３ａへ位置決めし埋設した実施形態を示している。
図６（ｄ）と（ｄ’）は、左側面を開放した箱材１６ｄを用いて箱抜きしたコンクリート堤体２中へ、外周にゴムシートを巻いたフランジ付き梁端部材７ｂを差し込み、前記箱材１６ｄとフランジ付き梁端部材７ｂとの空隙にモルタルコンクリート１６ｅを充填してフランジ７ｆ付き梁端部材７ｂを位置決めした実施形態を示している。
【００３１】
次に、図３は、コンクリート堤体２へ上記のようにしてフランジ７ｆ付き梁端部材７ｂを埋設した上で、コンクリート堤体２、２間の基礎コンクリート５上に柱材８を建てた段階を示している。但し図示の便宜上、図３の左半分には、柱材８の下端部をアンカー１４により基礎コンクリート５上へ仮固定してコンクリート堤体２、２間に柱材８を建てた段階を示し、同右半分には鞘管１５を用いてコンクリート堤体２、２間の基礎コンクリート５上へ建てた段階を並列して示している。これは便宜上の図示である。前記いずれの実施態様でも、柱材８の上端には接合用のフランジ８ｂを備えている。なお、図３中の波線Ｘは、柱材８の下端部を固定するために後で打設する増し打ちコンクリート５’の天端高さの位置を示している。
【００３２】
次に、図４は、上記フランジ７ｆ付きの梁端部材７ｂと、その間へ配置した梁材７ａとをフランジ７ｆを介して接合して梁７を完成させた段階を示している。
また、図４に示すように、上記柱材８の上端部のフランジ８ｂと、河川横断方向に配置した梁材７ａから下向きに突設した柱頭部８ａのフランジ８ｂもボルト接合して一体的に接合して鋼製スリットダム６の骨格を完成する。
最後に、図５に示したように、柱材８の下端部を基礎コンクリート５上へ後打した増し打ちコンクリート５’の中へ埋め込み固定する。
【００３３】
したがって、本発明の砂防堰堤及びその施工方法によれば、梁７はコンクリート堤体２へ予め埋め込まれたフランジ付き梁端部材７ｂとフランジ接合して設置されるので、前記フランジ接合部により、或いは同梁端部材７ｂの外周に巻いたゴムシートによりコンクリート及び柱材８の伸縮歪みを吸収可能な構造とすることができ、熱応力を解消してコンクリートのひび割れを抑止することができる。
【００３４】
また、フランジ付き梁端部材７ｂと梁材７ａとをフランジ接合して梁７の組立てを完成して設置するので、梁材７ａの施工誤差を充分に吸収することができる。しかも、梁材７ａと柱材８は着脱可能なフランジ接合なので、土石流、流木を捕捉した後に、それらを除去するために鋼製スリットダム６を解体して改修工事ができる。そのため、除去・改修の工事が簡単になるばかりでなく、鋼製スリットダム６は簡単に復旧工事ができる。
【００３５】
更に、梁７は、コンクリート堤体２に埋め込まれた梁端部材７ｂと梁材７ａとをフランジ接合して設置し、梁材７ａに突設した柱頭部８ａと柱材８の上端部もフランジ接合により一体的に連結し、柱材８の下端部は増し打ちコンクリート５’に埋設して本固定した簡易な平面構造なので、部品点数が少なく、構造的に簡略化できる。堤体用コンクリートを打設してコンクリート堤体２を構築する作業と、梁７と柱材８とより成る鋼製スリットダム６を組立てる作業とを分離して施工可能なので、コンクリート堤体２、２間の水通し部へ鋼製スリットダム６を設置するに際し、該鋼製スリットダム６の建て方を仮支持する必要がなく、施工の大幅な短工期化を図ることができ、施工性及び経済性に優れている。
【００３６】
本実施形態の砂防堰堤１は、梁材７ａをコンクリート堤体２の梁端部材７ｂとフランジ接合して設置する際に、その施工誤差を充分に吸収することができる。勿論、一方のコンクリート堤体２に埋め込まれた梁端部材７ｂと梁材７ａの端部との間に、コンクリートや梁材７、柱材８の伸縮歪みを吸収可能なスライド可能構造とする空隙を形成して、熱応力を解消してコンクリートのひび割れを抑止することもできる。
【実施例２】
【００３７】
図７の砂防堰堤１は、コンクリート堤体２、２間の間隔が広い場合に、該コンクリート堤体２、２間の中間位置にコンクリート隔壁１８が構築され、該コンクリート隔壁１８とコンクリート堤体２との間に鋼製スリットダム６が設置された実施例２を示している。本実施例２の砂防堰堤１は、フランジ付き梁端部材７ｂを埋め込んだコンクリート隔壁１８をコンクリート堤体２の中間位置に構築する他は、上記実施例１と同様の施工方法と構成で実施される。
【実施例３】
【００３８】
図８及び図９に示した砂防堰堤１はダム高（鋼製高）が高く、柱材８が長くなり、１本の梁材７のみでは、巨礫を押し止めて下流に流れることを防ぐには不十分である場合の実施例３を示している。即ち、柱材８の高さ方向の中間位置にも、対応するフランジ付き梁端部材７ｂをコンクリート堤体２、２に埋め込んで設置し、上下の向きにフランジ８ｂ付きの柱継手部８ｃを突設した第二の梁材７’を河川の横断方向に配置し、その両端を前記の梁端部材７ｂと接合する。そして、下向きの柱継手部８ｃは上記柱材８の上端とフランジ８ｂで接合し、また、上向きの柱継手部８ｃは上方の梁材７ａから下向きに突設した柱頭部８ａとの間に継ぎ足し柱８ｄを用いてそれぞれフランジ接合して一体的に連結した第二の梁７’を設置した実施例３を示している。
本実施例３の砂防堰堤１を平面的に見ると、鋼製スリットダム６を構成する上記梁７の下流側に、前記梁７とは横梁１１同士をフランジ１１ａで接合された下流側梁材９が、その両端部を、やはりコンクリート堤体２へ埋め込んだ梁端部材７ｂと接合して立体骨組構造に構成し、巨礫や流木等による強い衝撃を受けても十分捕捉できる構成である。
因みに、図８に示す鋼製スリットダム６の大きさは、高さが７ｍ〜８ｍ程度、横幅が６ｍ〜８ｍ程度、奥行きが２ｍ〜３ｍ程度である。
【００３９】
なお、上記図８に示した砂防堰堤１よりも、ダム高（鋼製高）が高く、柱材８が長くなる場合には、図１０に示すように、上下方向に複数本の梁材７及び下流側梁材９を、上記図８、図９で示した実施形態と同様の施工方法で設置して実施することも勿論可能である。因みに、図１０に示す鋼製スリットダム６の大きさは、高さが６ｍ〜８ｍ程度、横幅が１０ｍ〜１１ｍ程度、奥行きが２ｍ〜３ｍ程度である。
【００４０】
以上、本発明を実施例に基づいて説明したが、勿論、図示した実施例の限りではない。本発明の要旨及び技術的思想を逸脱しないかぎり、当業者の変形、応用にしたがい様々な実施例が成立することを、敢えてここに、言及する次第です。
【図面の簡単な説明】
【００４１】
【図１】本発明に係る砂防堰堤を示す斜視図である。
【図２】本発明に係る砂防堰堤の施工手順のコンクリート工事段階を示す立面図である。
【図３】本発明に係る砂防堰堤の鋼材組み立て手順の途中段階を示す立面図である。
【図４】本発明に係る砂防堰堤の鋼材組み立て手順の終盤段階を示す立面図である。
【図５】本発明に係る砂防堰堤の完成状態を示す立面図である。
【図６】（ａ）（ａ’）〜（ｄ）（ｄ’）はフランジ付梁端部材をコンクリート堤体へ位置決めする手段を例示した説明図である。
【図７】実施例２の砂防堰堤を示す立面図である。
【図８】実施例３の砂防堰堤を示す斜視図である。
【図９】図８に示した砂防堰堤の縦断面図である。
【図１０】実施例３の砂防堰堤の異なる実施形態を示す斜視図である。
【符号の説明】
【００４２】
１              砂防堰堤
２              コンクリート堤体
３              堤体下部コンクリート
４              袖部コンクリート
５              基礎コンクリート
５’            増し打ちコンクリート
６              鋼製スリットダム
７              梁
７ａ            梁材
７ｂ            フランジ付梁端部材
７ｆ            フランジ
８              柱材
８ｂ            フランジ
９              下流側梁材
１６ａ〜１６ｄ  固定金具
【図１】
2011089393.tif 000003
【図２】
2011089393.tif 000004
【図３】
2011089393.tif 000005
【図４】
2011089393.tif 000006
【図５】
2011089393.tif 000007
【図６】
2011089393.tif 000008
【図７】
2011089393.tif 000009
【図８】
2011089393.tif 000010
【図９】
2011089393.tif 000011
【図１０】
2011089393.tif 000012